(57)【特許請求の範囲】
【請求項１】
一連の従動キャリッジ（２）を有する仕分けコンベヤであって、
前記従動キャリッジ（２）が、連続的に駆動可能であるとともに、搬送方向（６）において２本の平行に引き離された走行レール（４ａ、４ｂ）を有するトラック（４）に沿って案内されるよう構成されており、
少なくとも１つの従動キャリッジ（２）が、全方向に回転可能な関節式ジョイント（５２）を用いて運搬キャリッジ（１０）と結合されるよう構成されており、
前記運搬キャリッジ（１０）が、前記走行レール（４ａ、４ｂ）からある距離の所に配置された２本の平行に引き離された取付けレール（１２ａ、１２ｂ）に沿って前記搬送方向に連続的に案内されるとともに、運搬フレーム（５３）を有し、
前記運搬フレーム（５３）が、前記関節式ジョイント（５２）に支持されるとともに、前記搬送方向（６）に関して各取付けレール（１２ａ、１２ｂ）において前記関節式ジョイント（５２）の後ろで追従するよう構成されており、
前記取付けレール（１２ａ、１２ｂ）が、前記走行レール（４ａ、４ｂ）および負荷支持部材（１４ａ、１４ｂ）から事前に設定された垂直距離の所に配置され、
前記負荷支持部材（１４ａ、１４ｂ）が、常に水平位置にあるとともに、個別の物品を積みおよび降ろすために前記運搬フレーム（５３）上に配置されていることを特徴とする仕分けコンベヤ。
【請求項２】
前記２本の走行レール（４ａ、４ｂ）は、前記従動キャリッジが、前記搬送方向（６）に対して斜めに見るとき、常に水平に位置合わせされるように配置され、この際、前記走行レール（４ａ、４ｂ）が、前記搬送方向（６）に対して斜め方向に見るとき、同じ高さで横たわることが可能に構成されていることを特徴とする、請求項１に記載の仕分けコンベヤ。
【請求項３】
前記取付けレール（１２ａ、１２ｂ）が、円形の外形で形成され、かつ前記搬送方向（６）に対して斜めに見るとき、前記運搬キャリッジが常に水平に位置合わせされるように配置され、この際、前記搬送方向（６）に対して斜め方向に見るとき、前記取付けレール（１２ａ、１２ｂ）が同じ高さで横たわることが可能に構成されていることを特徴とする請求項１または２に記載の仕分けコンベヤ。
【請求項４】
各従動キャリッジ（２）が、アイドラ（２４）および横方向案内ローラ（２６）とともに各走行レール（４ａ、４ｂ）に支持され、前記アイドラ（２４）はソケット（２４ｃ）の中に保持可能であり、前記ソケット（２４ｃ）が前記従動キャリッジ（２）に対して追従式に垂直放射軸（２４ｂ）の周りに枢転可能に連結されていることを特徴とする請求項１〜３のいずれか一項に記載の仕分けコンベヤ。
【請求項５】
各従動キャリッジ（２）が、前記搬送方向（６）に関して前端部または後端部において、従動キャリッジクロスアーム（２２）を有し、その横方向端部にアイドラ（２４）および横方向案内ローラ（２６）が各場合において取り付けられていることを特徴とする請求項１〜４のいずれか一項に記載の仕分けコンベヤ。
【請求項６】
各従動キャリッジが、前記搬送方向（６）に関して前端部において、前を走行する従動キャリッジ（２）の後端部と結合されていることを特徴とする請求項１〜５のいずれか一項に記載の仕分けコンベヤ。
【請求項７】
各運搬キャリッジ（１０）が運搬キャリッジクロスアーム（５６）を有し、前記運搬キャリッジクロスアーム（５６）が横方向端部で前記取付けレール（１２ａ、１２ｂ）に支持されていることを特徴とする請求項１〜６のいずれか一項に記載の仕分けコンベヤ。
【請求項８】
アイドラおよび横方向案内ローラが、前記運搬キャリッジクロスアーム（５６）の各横方向端部に配置されていることを特徴とする請求項７に記載の仕分けコンベヤ。
【請求項９】
案内キャリッジ（６０）であって、前記搬送方向（６）において互いに離間された少なくとも２つのベアリングおよび横方向案内ローラ（５８）を有し、それによって前記案内キャリッジ（６０）が取付けレール（１２ａ、１２ｂ）に支持され、前記搬送方向（６）に対して斜めの水平に延びる案内軸（６２）の周りで前記運搬キャリッジクロスアーム（５６）に枢転可能に連結される案内キャリッジ（６０）が、前記運搬キャリッジクロスアーム（５６）の各横方向端部に配置されていることを特徴とする請求項７に記載の仕分けコンベヤ。
【請求項１０】
前記運搬キャリッジクロスアーム（５６）が、垂直に延びる枢軸（６６）の周りを移動可能な関節式ベアリングによって、前記搬送方向（６）に延在する運搬キャリッジ長手部材（５４）に枢転可能に連結され、前記運搬キャリッジ長手部材（５４）が次に前記関節式ジョイント（５２）によって前記従動キャリッジ（２）に支持されていることを特徴とする請求項９に記載の仕分けコンベヤ。
【請求項１１】
各２番目の従動キャリッジ（２）が運搬キャリッジ（１０）と結合されていることを特徴とする請求項１〜１０のいずれか一項に記載の仕分けコンベヤ。
【請求項１２】
前記負荷支持部材（１４ａ、１４ｂ）が電気作動式傾動装置（８０、８４、８６）として構成されていることを特徴とする請求項１〜１１のいずれか一項に記載の仕分けコンベヤ。
【請求項１３】
前記搬送方向（６）に見るとき、前記案内軸（６２）が前記枢軸（６６）に対して追従式に配置されていることを特徴とする請求項１０に記載の仕分けコンベヤ。
【請求項１４】
前記案内キャリッジ（６０）の一方が、前記案内軸（６２）に対する遊びなしに固定ベアリング（６７ａ）によって前記運搬キャリッジクロスアーム（５６）に取り付けられ、他方の案内キャリッジ（６０）が、前記案内軸（６２）に対する遊びのある状態で浮遊ベアリング（６７ｂ）によって前記運搬キャリッジクロスアーム（５６）に取り付けられていることを特徴とする請求項９、１０または１３に記載の仕分けコンベヤ。
【発明の詳細な説明】
【技術分野】
【０００１】
本発明は、請求項１による、一連の従動キャリッジを有する仕分けコンベヤに関し、一連の従動キャリッジは連続的に駆動可能であり、移送方向または搬送方向において、２本の平行に引き離された走行レールを有するトラックに沿って案内される。
【背景技術】
【０００２】
特許文献１は、連続原理に従うパンコンベヤを開示しており、パンコンベヤは、水平および縦および同時にカーブの周りを移動するとき常に水平位置を維持する輸送パンを有する。
【先行技術文献】
【特許文献】
【０００３】
【特許文献１】独国特許出願公開第２５  １０  ５２２  Ａ１号明細書
【発明の概要】
【発明が解決しようとする課題】
【０００４】
本発明の目的は、現在知られている仕分けコンベヤを、次のような従動キャリッジを用いて改良することからなり、この従動キャリッジは、平行な走行レール上を案内され、一般に、水平レベルで動作するように設計され、その結果、搬送される物品、特に個別の物品を、空間に自由に画定できる経路に沿って案内可能であり、それにより水平カーブおよび縦カーブのほかに、同時に水平かつ縦に延びるレール湾曲を有するらせん部分も可能であり、その間、従動キャリッジの各負荷支持部材は常に自動的に水平または中立位置を維持する。
【課題を解決するための手段】
【０００５】
この目的は、請求項１による仕分けコンベヤによって、本発明に従い達成される。従動キャリッジに対する運搬キャリッジの全方向に回転可能な関節式結合の特別の利点は、運搬キャリッジの取付けレールを、機械的な力がカーブ、特に空間カーブまたはらせん部分を通り抜けるとき常に発生することなく、従動キャリッジの走行レールとの関連において比較的寛容な公差で横たえることができることにある。
【０００６】
搬送方向に対して斜めに見るとき従動キャリッジが常に水平に位置合わせされるように２本の走行レールが配置され、それにより、搬送方向に対して斜め方向に見るとき走行レールが同じ高さで横たわることができることが好都合に考えられる。搬送方向に対して斜め方向に見るとき走行レールが同じ高さで横たわるときは常に、従動キャリッジはトラックのいかなる地点においても望ましくないバンク角に直面しない。対応する方法において、取付けレールが丸い外形で形成され、搬送方向に対して斜めに見るとき、運搬キャリッジが常に水平に位置合わせされるように配置され、それにより搬送方向に対して斜め方向に見るとき、取付けレールは同じ高さで横たわることができることが好ましくは考えられる。搬送方向に対して斜め方向に見るとき、取付けレールが同じ高さで横たわるときは常に、運搬キャリッジは同じく望ましくないバンク角に直面しない。
【０００７】
各従動キャリッジが、アイドラおよび横方向案内ローラとともに各走行レールに支持されることが好ましい。各従動キャリッジが、搬送方向に関して前端部または後端部において、従動キャリッジクロスアームを有し、従動キャリッジクロスアームの横方向端部にアイドラおよび横方向案内ローラは各場合において取り付けられることが好ましい。
【０００８】
各従動キャリッジは、搬送方向に関して前端部において、前を走行する従動キャリッジの後端部と、特に全方向に回転可能な関節式ジョイントを用いて結合することができる。
【０００９】
各運搬キャリッジが運搬キャリッジクロスアームを有することが好ましく、運搬キャリッジクロスアームは横方向端部において取付けレールに支持される。アイドラおよび横方向案内ローラが、運搬キャリッジクロスアームの各横方向端部に対応して配置され、それにより３つ以上のアイドラおよび横方向案内ローラを各横方向端部に設けることができる。
【００１０】
特に都合のよい実施形態では、搬送方向において互いに離間された少なくとも２つのアイドラおよび横方向案内ローラを有し、それによって取付けレールに支持され、搬送方向に対し水平および斜めに延びる案内軸の周りでクロスアームに枢転可能に連結される案内キャリッジが運搬キャリッジクロスアームの各横方向端部に配置されることが考えられる。
【００１１】
さらに、運搬キャリッジクロスアームは、搬送方向に延在する運搬キャリッジ長手部材に関節式ベアリングによって枢転可能に連結され、運搬キャリッジ長手部材は垂直に向けられた枢同軸の周りを移動可能であり、今度は関節式ジョイントによって従動キャリッジに支持されることが考えられてもよい。
【００１２】
従動キャリッジが各場合において運搬キャリッジと結合されることが可能である一方、２番目ごとの従動キャリッジだけが運搬キャリッジと結合されることが考えられてもよく、後者の変形は２つの負荷支持部材の可能性を特に許容し、負荷支持部材は各運搬キャリッジ上に置かれる搬送品を積むまたは降ろすために互いに独立して制御可能である。
【００１３】
従動キャリッジはチェーンを形成可能であり、および固定モータによって駆動可能であり、従動キャリッジは各場合においてテンション部材を形成する。固定駆動装置は摩擦ホイールモータまたは誘導モータとして実装可能である。
【００１４】
負荷支持部材は傾動要素または電動クロスベルトとして形成可能であり、所望の放出方向に搬送方向に対して斜めに傾動要素またはクロスベルトのモータを横方向に傾けることによって、荷下ろしのために選択された放出ステーションでそれ自体知られた方法で作動可能である。
【００１５】
好ましい実施形態では、前記または各負荷支持部材は電気作動式傾動装置として設計されることが考えられる。
【００１６】
改良形態では、搬送方向に見るとき、案内軸が枢軸に対して追従するように配置されることが考えられてもよい。あるいは、案内軸は枢軸を含むおよび／またはこれと交差するレベル、または搬送方向に見るとき枢軸に対して先行するレベルに配置可能である。特に、案内キャリッジの一方を案内軸に対する遊びなしに固定ベアリングによって運搬キャリッジクロスアームに取り付け、他方の案内キャリッジ（６０）を案内軸に対する遊びのある状態で浮遊ベアリングによって運搬キャリッジクロスアームに取り付けることが可能である。
【００１７】
図面を参照して、本発明を例示的実施形態に基づき以下に記載する。
【図面の簡単な説明】
【００１８】
【図１】本発明による仕分けコンベヤの上昇部分を示す。
【図２】図１による仕分けコンベヤの下降部分を示す。
【図３】カーブで同時に下降し湾曲する、図１および２による仕分けコンベヤの一部を示す。
【図４】仕分けコンベヤの従動キャリッジおよび運搬キャリッジの斜視図を示す。
【図５】仕分けコンベヤの運搬キャリッジおよび従動キャリッジの不可欠な構成要素の概略斜視図を示す。
【図６】仕分けコンベヤの、部分的に破断された概略前面図を示す。
【図７】コンベヤの概略側面図を示す。
【図８】いくつかの従動および運搬キャリッジの概略平面図を示す。
【図９】図８と同様であるが負荷支持部材のない図を示す。
【図１０】走行レールが部分的に消えている拡大破断図において図１と同様の図を示す。
【図１１】改良実施形態の運搬キャリッジの側面図を示す。
【図１２】改良実施形態の２つの運搬および案内キャリッジの斜視図を示す。
【図１３】図１１の線Ａ−Ａに従う破断図を示す。
【図１４】図１１の線Ａ−Ａに従う破断図を示す。
【図１５】図１１の線Ａ−Ａに従う破断図を示す。
【発明を実施するための形態】
【００１９】
図１〜３および１０は、本発明による仕分けコンベヤの基本構造を示す。仕分けコンベヤは第一に、相互に柔軟に結合された一連の従動キャリッジ２を有し、従動キャリッジ２は、移送方向または搬送方向６に移動するために、２つの平行な走行レール４ａ、４ｂを有するトラック４に沿って案内される。トラック４は一般に自己閉鎖型連続ループの形態で構成され、その結果、従動キャリッジも連続的に案内される。
【００２０】
従動キャリッジ２を様々な方法で搬送方向６に推進することができる。ケーブルまたはチェーンなどの牽引手段が考慮されてもよく、牽引手段は連続的に走行し、トラック４の近くに横たえられ、個々のまたは全ての従動キャリッジ２が取り付けられる。
【００２１】
あるいは、各従動キャリッジ２に駆動モータを設けることができる。駆動モータは駆動ホイールに作用し、次に駆動ホイールがトラックと協働する。あるいは、従動キャリッジは誘導または摩擦ホイールモータを用いて移動させることができる。同時に、全ての従動キャリッジではなく、単に２番目、３番目の従動キャリッジごとに、またはそれすら上回る間隔で従動キャリッジにモータを装備することが可能である。ここで従動キャリッジは連続チェーンを形成可能であり、各従動キャリッジはテンション部材を形成している。
【００２２】
走行レール４ａ、４ｂは、一定の相互距離で互いに平行に横たえられ、搬送方向６に対して斜め方向に見たとき、走行レールは同じ高さで横たわり、その結果、カーブの通り抜け、または勾配の上昇および／または下降に関係なく、従動キャリッジはバンク角なしに一定の位置合わせで常に走行する。
【００２３】
選択された従動キャリッジ、示される実施形態では一連のうち２番目ごとの従動キャリッジは、各場合において運搬キャリッジ１０と結合される。運搬キャリッジ１０は、走行レール４ａ、４ｂからある距離の所に配置された２本の平行な取付けレール１２ａ、１２ｂに沿って案内される。各運搬キャリッジ１０は少なくとも１つの負荷支持部材が取り付けられ、示される実施形態では、各運搬キャリッジ１０は、互いに独立して作動する２つの負荷支持部材１４ａ、１４ｂが取り付けられる。取付けレール１２ａ、１２ｂは、走行レール４ａ、ｂから一定の局所高さ距離ｈで配置され、その結果、トラック４の水平、上昇、下降または曲線経路にかかわらず、各運搬キャリッジ１０の負荷支持部材１４ａ、ｂがトラック４のいずれの地点においても中立すなわち水平位置を取ることが保証される。
【００２４】
運搬キャリッジ１０は仕分けコンベヤの搬送方向６に関して追従する状態で従動キャリッジ２と結合されているので、取付けレール１２ａ、ｂはトラック４の上昇経路の場合（図１）、走行レール４ａ、ｂからその上のある距離のところに延び、その距離はトラック４の局所的傾斜が増すにつれ延びる。反対に取付けレール１２ａ、ｂは、トラック４が下降勾配で配置されるときはいつでも、走行レール４ａ、ｂからその下のある距離のところに配置され（図２）、その距離は下降勾配の傾斜が増すにつれ延びる。これは、走行レール４ａ、ｂの水平経路の場合、取付けレール１２ａ、ｂが本質的に走行レールと同じ高さで横たわるように従動キャリッジと運搬キャリッジの結合が設計されると仮定して当然妥当であり、これは仕分けコンベヤの最低可能空間要件という意味で好都合である。
【００２５】
図３は、２本の走行レール４ａおよび４ｂが、カーブを通り抜けるときでさえ、搬送方向６に対して斜め方向に見て、好都合に常に同じ高さに配置されることを明らかにしている。同じことが２本の取付けレール１２ａおよび１２ｂにも当てはまり、その結果、従動キャリッジ２と運搬キャリッジ１０の両方は、バンク角なしに斜め方向において一定の、好ましくは水平の位置合わせを常に本質的に有する。
【００２６】
図４〜６は、従動キャリッジ２および運搬キャリッジ１０の構造をより詳しく示している。各従動キャリッジ２は、従動キャリッジ長手部材２０と、確実に接続された従動キャリッジクロスアーム２２とから本質的に構成され、従動キャリッジクロスアーム２２は、示される例では、従動キャリッジ長手部材２０の、搬送方向６に見て後端部に配置され、その結果、平面図の従動キャリッジ２は本質的にＴ字形である。あるいは、従動キャリッジクロスアームは、従動キャリッジ長手部材２０の前端部に配置することができる。水平回転軸２４ａを有するアイドラ２４および垂直回転軸２６ａを有する横方向案内ローラ２６が、従動キャリッジクロスアーム２２の横方向端部に取り付けられる。各アイドラ２４の回転軸２４ａはソケット２４ｃの中に形成され、次にソケット２４ｃが垂直放射軸２４ｂの周りに枢転可能に取り付けられ、垂直放射軸２４ｂはクロスアーム２２の各横方向端部において回転軸２４ａの前のある距離に位置付けられる。各アイドラ２４がそれを介して追従式に（ｔｒａｉｌｉｎｇｌｙ）取り付けられるソケット２４ｃの垂直軸の周りの旋回運動は、各アイドラの回転軸２４ａが各カーブの中心を通って常に延びるように、水平カーブにおいてアイドラが自動的にそれら自体を整列させることを可能にする。
【００２７】
案内レール４ａ、ｂは、アイドラ２４がその上を走行する水平ベアリング面２８を備えた内側に開放するＣ形断面と、横方向案内ローラ２６がその上を走行する垂直案内面３０とを有する。平行にベアリング面２８に面する案内面３２は本質的にアイドラ２４が離昇または持ち上がって外れることを防止する働きをし、通常の運転中はこれらによって接触されない。
【００２８】
図６は、走行レール４ａの１つの上のバスバー４０を示し、バスバー４０は走行レール４ａと平行に横たわり、かつ多数の電気導体と一体化し、電気導体は摺動接点によって接触され、摺動接点は、各場合において関連付けられる従動キャリッジクロスアーム２２上に保持され、摺動接点によって、電流及び制御信号および／または情報が、電気モータによって作動される負荷支持部材１４ａ、ｂを操作かつ制御するために伝達される。あるいは、動力および信号伝達に関する無接触システムが使用される。動力は、例えば誘導的に移送可能であり、情報は、好ましくは固定送信器、例えば赤外線信号を介して伝達される。
【００２９】
各従動キャリッジ２は、従動キャリッジクロスアーム２２に面する前端部で、関節式ジョイント４２によって前に走行する従動キャリッジ２の、搬送方向６に見て後端部と結合する。従動キャリッジ２は、示される例示的実施形態では駆動ソード４４によって推進され、駆動ソード４４は従動キャリッジ長手部材２０の下に垂直に取り付けられ、そして、誘導ユニットが走行レール４ａ、ｂの間に間隔を置いて配置される状態で誘導モータを形成する金属誘導プレートとして、または間隔を置いて配置される１つまたは複数の摩擦モータと協働する横方向摩擦面を有する摩擦プレートとして設計することができる。
【００３０】
垂直支持体５０は、その上端部に、全方向に回転可能な関節式ジョイント５２、例えばカルダンまたはボール継手があり、好ましくは例えば従動キャリッジ長手部材２０の中心において従動キャリッジ２に結合され、それと運搬キャリッジ１０は追従式に結合される。関節式ジョイント５２の全方向回転性は、垂直回転軸６８、水平横軸７０および水平長手軸７２によって図５に示されている。運搬キャリッジ１０は運搬フレーム５３を有し、運搬フレーム５３は、その前端部近くで関節式ジョイント５２に接続される運搬キャリッジ長手部材５４と、搬送方向６に見て運搬キャリッジ長手部材５４の後端部に接続される運搬キャリッジクロスアーム５６とを有する。
【００３１】
ベアリングおよび横方向案内ローラ５８が、運搬キャリッジクロスアーム５６の両方の横方向端部に、示される例示的実施形態では運搬キャリッジクロスアーム５６の各端部に配置され、一連のベアリングおよび案内ローラ５８が取り付けられた案内キャリッジ６０が、搬送方向６に対して斜めに延びる水平案内軸６２の周りに枢転可能に連結されている。
【００３２】
ベアリングおよび案内ローラ５８の配置は図５〜７に基づき明白である。図５〜７は、案内キャリッジ６０が、その回転軸が水平面に対して４５°傾斜し、搬送方向６に対して斜めである４つの上部ベアリングおよび案内ローラ５８を有し、上部ベアリングおよび案内ローラ５８が対になって案内軸６２の前後に位置付けられることを示している。斜めの配置により、これらローラは、ベアリングおよび横方向案内機能の両方を担う。水平回転軸を有するさらなる案内ローラ５８が、取付けレール１２ａおよび／また１２ｂの下に配置され、その結果、合計５個のベアリングおよび案内ローラ５８が、円形断面を有する各取付けレール１２ａ、ｂを、有意な遊びのない状態でしっかりつかむ。この配置により、取付けレールの長手方向を除き、案内キャリッジ６０は必要に応じて取付けレールの周囲を容易に回転するように移動可能であり、その結果、取付けレール１２ａ、ｂの、それらの間のおよび／または走行レール４ａ、ｂに対する位置公差を補償することができる。位置公差を補償する別の可能性は、案内キャリッジが案内軸６２周りで運搬キャリッジクロスアーム５６に対して回転可能に連結する結果として生じる。
【００３３】
図７から明らかなように、案内軸６２は、搬送方向６に関して運搬キャリッジクロスアーム５６の枢軸６６の後に追従するように配置され、これは走行安定性に有益な影響を有し得る。
【００３４】
運搬キャリッジクロスアーム５６は、運搬キャリッジ長手部材５４に固く接続されず、それに対して垂直枢軸６６の周りで枢転可能に連結されることが好ましい。それによって生じる、運搬キャリッジ長手部材５４と運搬キャリッジクロスアーム５６の間の捻りの可能性は、運搬キャリッジ１０がカーブを通り抜けるとき、運搬キャリッジクロスアーム５６が常に局所湾曲の中心と、すなわち放射状に整列され、案内軸６２も放射状に整列されるという利点を有し、これは強制的な力がベアリングおよび案内ローラ５８に生じないという利点を有する。図５は、既に記載した、従動キャリッジ２と運搬キャリッジ１０の間の案内軸６２、枢軸６６および関節式ジョイント５２の配置を説明し、この配置により従動キャリッジと運搬キャリッジの間の垂直軸６８、水平横軸７０および水平長手軸７２の周りでの相対運動が許容される。
【００３５】
各運搬キャリッジ１０は、特に図４、７および８に示されるように、少なくとも１つの、示される例示的実施形態では２つの負荷支持部材１４ａ、ｂが取り付けられる。各負荷支持部材１４ａ、ｂは、運搬キャリッジ長手部材５４の上に保持され、運搬キャリッジの負荷支持部材１４ａ、ｂは、搬送方向６に見て、前後に配置されている。各負荷支持部材１４ａ、ｂは運搬トレイ８０を有し、運搬トレイ８０はその最前端部または最後端部に各場合において垂直境界壁８２が設けられている。各運搬トレイ８０は、駆動モータ８４ａ、例えばステップモータと、トランスミッション８４ｂとを有する電気機械的作動ユニット８４上に取り付けられ、その結果、電気機械的傾動要素が形成される。運搬キャリッジ１０の各運搬トレイ８０は、他の各運搬トレイ８０から独立して、搬送方向６に延びる水平傾動軸８６の周りを運搬キャリッジ１０の片方の側または他方の側へ、例えば２０°〜４５°の範囲の角度で傾動可能であり、その結果、運搬トレイ８０上に置かれた各物品は横方向に滑り落ち、現在知られている方法で仕分けコンベヤの受取ステーションにおいて、例えば搬送方向６に対して横方向または斜めに配置されるベルトコンベヤ上に降ろされる。
【００３６】
示される例示的実施形態では、各運搬キャリッジに対して２つの負荷支持部材を配置することにより、１つの運搬トレイ８０より長い各荷物を積むおよび／または降ろすこと、２つの運搬トレイ上に各荷物を置くこと、および積み込みまたは積み降ろしを補助するようにおよび／またはこれらを水平中立位置に置くように運搬トレイを時間順に傾動することが有利に可能になる。制御情報および／または制御信号、ならびにこれに必要な動力は、上に記載したバスバー４０を介して、仕分けコンベヤの中央制御ユニットから伝達される。
【００３７】
図１１〜１５は、案内キャリッジ６０近くの運搬キャリッジの改良を記載する。図４〜６に示されるものと違い、運搬キャリッジクロスアーム５６は取付けレール１２ａ、ｂの上の中心で終端し、その結果、案内キャリッジ６０の傾動トルクは、取付けレール１２ａ、ｂに対して、および／または運搬キャリッジクロスアーム５６の端部に対して発生しない。図１１の運搬キャリッジの側面図が示すように、案内軸６２は、図１〜１０による実施形態の場合よりも枢軸６６の後ろにさらに離れて追従するように配置され、特に図７が参照される。
【００３８】
図１３〜１５は図１１にＡ−Ａで示された面に沿った断面図を示し、図１４および１５は案内キャリッジの近くの図１３からの拡大断面図を示す。図１〜１０の実施形態との主な違いは、特に図６が図１３と比較される場合、運搬キャリッジクロスアーム５６に対する案内キャリッジ６０の接続である。運搬キャリッジクロスアーム５６の端部はここでは取付けレール１２ａ、１２ｂの上の中心に位置付けられ、および各場合において、その長手軸が案内軸６２と一致する案内ピン６４を用いて案内キャリッジ６０に接続される。各案内ピン６４は、案内ピンを収容する運搬キャリッジクロスアーム５６の位置決め穴６５と摺動ベアリングを形成する。ベアリングおよび案内ローラ５８は、図１〜１０の実施形態に対応するように、案内キャリッジ６０に取り付けられる。特別の特徴として、案内キャリッジ６０の一方（図１５）が、案内軸６２に対する遊びなしに固定ベアリング６７ａとして運搬キャリッジクロスアーム５６に取り付けられ、その一方、他方の案内キャリッジ６０（図１４）が、案内軸６２に対して遊びを有する浮遊ベアリング６７ｂの形態で運搬キャリッジクロスアーム５６に取り付けられる。
【符号の説明】
【００３９】
２  従動キャリッジ
４  トラック
４ａ、ｂ  走行レール
６  移送方向（搬送方向）
１０  運搬キャリッジ
１２ａ、ｂ  取付けレール
１４ａ、ｂ  負荷支持部材
２０  従動キャリッジ長手部材
２２  従動キャリッジクロスアーム
２４  アイドラ
２４ａ、２６ａ  回転軸
２４ｂ  放射軸
２４ｃ  ソケット
２６  横方向案内ローラ
２８  ベアリング面
３０、３２  案内面
４０  バスバー
４２  関節式ジョイント
４４  駆動ソード
５０  支持部
５２  関節式ジョイント
５３  運搬フレーム
５４  運搬キャリッジ長手部材
５６  運搬キャリッジクロスアーム
５８  ベアリングおよび案内ローラ
６０  案内キャリッジ
６２  案内軸
６４  案内ピン
６５  位置決め穴
６６  枢軸
６７ａ  固定ベアリング
６７ｂ  浮遊ベアリング
６８  （５２の）垂直回転軸
７０  （５２の）水平横軸
７２  （５２の）水平長手軸
８０  運搬トレイ
８２  境界壁
８４  作動ユニット
８４ａ  駆動モータ
８４ｂ  トランスミッション
８６  傾動軸
ｈ  垂直距離（１２ａ、ｂから４ａ、ｂ）
【図１】
0006043388.tif 000002
【図２】
0006043388.tif 000003
【図３】
0006043388.tif 000004
【図４】
0006043388.tif 000005
【図５】
0006043388.tif 000006
【図６】
0006043388.tif 000007
【図７】
0006043388.tif 000008
【図８】
0006043388.tif 000009
【図９】
0006043388.tif 000010
【図１０】
0006043388.tif 000011
【図１１】
0006043388.tif 000012
【図１２】
0006043388.tif 000013
【図１３】
0006043388.tif 000014
【図１４】
0006043388.tif 000015
【図１５】
0006043388.tif 000016